(57)【要約】  撮影条件を指定したユーザの意図を尊重しつつ、表現の幅が狭められてしまうことを防止することを目的として、本発明に係る画像取得装置（１）は、画像データを取得する撮像部（２）と、撮影条件および現像条件を含む複数のパラメータの組合せからなる複数パラメータセットを記憶している設定記憶部（４）と、撮像部（２）による画像データの取得時におけるユーザによる撮影条件に関連するいずれかのパラメータの基準パラメータからの変更を取得する変更取得部（５）と、変更取得部（５）によりパラメータの変更が取得された場合に、変更されたパラメータの変更と同一方向の変更を含むパラメータセットを抽出して提示しユーザに選択させる設定選択部（６）と、設定選択部（６）においてユーザにより選択されたパラメータセットを用いて撮像部（２）により取得された画像データを現像する現像部（７）とを備える。
2018003070.tif 000002
【特許請求の範囲】
【請求項１】
画像データを取得する撮像部と、
撮影条件および現像条件を含む複数のパラメータの組合せからなる複数のパラメータセットを記憶している設定記憶部と、
前記撮像部による前記画像データの取得時におけるユーザによる前記撮影条件に関連するいずれかの前記パラメータの基準パラメータからの変更を取得する変更取得部と、
該変更取得部により前記パラメータの変更が取得された場合に、変更された前記パラメータの変更と同一方向の変更を含む前記パラメータセットを抽出して提示し前記ユーザに選択させる設定選択部と、
該設定選択部において前記ユーザにより選択された前記パラメータセットを用いて前記撮像部により取得された前記画像データを現像する現像部とを備える画像取得装置。
【請求項２】
前記設定選択部が、抽出された前記パラメータセットによって前記画像データを現像して提示する請求項１に記載の画像取得装置。
【請求項３】
前記現像部が、前記設定選択部において前記ユーザにより選択された前記パラメータセットによって、前記撮像部により取得された前記画像データを現像する請求項１または請求項２に記載の画像取得装置。
【請求項４】
前記現像部が、前記設定選択部において前記ユーザにより選択された前記パラメータセットのうち、前記ユーザにより変更された前記パラメータについては、前記ユーザによる変更値を用いて現像する請求項１または請求項２に記載の画像取得装置。
【請求項５】
前記現像部が、前記設定選択部において前記ユーザにより選択された前記パラメータセットのうち、前記ユーザにより変更された前記パラメータについては、前記パラメータセットに含まれる前記パラメータの値に前記ユーザによる変更値を加算して現像する請求項１または請求項２に記載の画像取得装置。
【請求項６】
撮影条件および現像条件を含む複数のパラメータの組合せからなる複数のパラメータセットを記憶している設定記憶部と、
ユーザによるいずれかの前記パラメータの基準パラメータからの変更を取得する変更取得部と、
該変更取得部により前記パラメータの変更が取得された場合に、変更された前記パラメータの変更と同一方向の変更を含む前記パラメータセットを抽出して提示し前記ユーザに選択させる設定選択部と、
該設定選択部において前記ユーザにより選択された前記パラメータセットを用いて画像データを現像する現像部とを備える画像処理装置。
【請求項７】
ユーザによるいずれかのパラメータの基準パラメータからの変更を取得する変更取得ステップと、
該変更取得ステップにより前記パラメータの変更が取得された場合に、記憶されている撮影条件および現像条件を含む複数の前記パラメータの組合せからなる複数のパラメータセットの内、変更された前記パラメータの変更と同一方向の変更を含む前記パラメータセットを抽出して提示するパラメータ提示ステップと、
該パラメータ提示ステップにより提示された前記パラメータセットを前記ユーザに選択させる設定選択ステップと、
該設定選択ステップにおいて前記ユーザにより選択された前記パラメータセットを用いて画像データを現像する現像ステップとを含む画像処理方法。
【請求項８】
ユーザによるいずれかのパラメータの基準パラメータからの変更を取得する変更取得処理と、
該変更取得処理により前記パラメータの変更が取得された場合に、記憶されている撮影条件および現像条件を含む複数の前記パラメータの組合せからなる複数のパラメータセットの内、変更された前記パラメータの変更と同一方向の変更を含む前記パラメータセットを抽出して提示するパラメータ提示処理と、
該パラメータ提示処理により提示された前記パラメータセットを前記ユーザに選択させる設定選択処理と、
該設定選択処理において前記ユーザにより選択された前記パラメータセットを用いて画像データを現像する現像処理とをコンピュータに実行させる画像処理プログラム。
【請求項９】
画像データを取得する撮像装置と、
該撮像装置と通信可能な画像処理装置とを備え、
前記撮像装置が、取得された前記画像データを記憶する画像記憶部と、該画像記憶部に記憶された前記画像データを現像する現像部とを備え、
前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部とを備え、
前記現像部が、前記設定選択部において前記ユーザにより選択された前記パラメータセットを用いて前記撮像装置により取得された前記画像データを現像する画像取得システム。
【請求項１０】
画像データを取得する撮像装置と、
撮影条件および現像条件を含む複数のパラメータの組合せからなる複数のパラメータセットを記憶している設定記憶装置と、
前記撮像装置および前記設定記憶装置と通信可能な画像処理装置とを備え、
前記撮像装置が、取得された前記画像データを記憶する画像記憶部と、該画像記憶部に記憶された前記画像データを現像する現像部とを備え、
前記画像処理装置が、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部とを備え、
前記現像部が、前記設定選択部において前記ユーザにより選択された前記パラメータセットを用いて前記撮像装置により取得された前記画像データを現像する画像取得システム。
【発明の詳細な説明】
【技術分野】
【０００１】
本発明は、画像取得装置、画像処理装置、画像処理方法、画像処理プログラムおよび画像取得システムに関するものである。
【背景技術】
【０００２】
ユーザが撮影条件を指定したときには、指定された撮影条件を含む設定のみを抽出してユーザに提示するカメラが知られている（例えば、特許文献１参照。）。
【先行技術文献】
【特許文献】
【０００３】
【特許文献１】特許第４４９２３４５号公報
【発明の概要】
【発明が解決しようとする課題】
【０００４】
しかしながら、特許文献１のカメラでは、指定された撮影条件に一致しない設定は全てユーザへの提示対象から除外される。
例えば、ユーザが露出＋１を設定した場合には、露出を正しく＋１に設定したかった場合の他、露出を単にプラス気味に設定したかった場合も含まれるため、露出＋１を含まない設定のみが提示されたのでは、ユーザによる表現の幅が狭められてしまうという不都合がある。【０００５】
本発明は、上述した事情に鑑みてなされたものであって、撮影条件を指定したユーザの意図を尊重しつつ、表現の幅が狭められてしまうことを防止することができる画像取得装置、画像処理装置、画像処理方法、画像処理プログラムおよび画像取得システムを提供することを目的としている。
【課題を解決するための手段】
【０００６】
本発明の一態様は、画像データを取得する撮像部と、撮影条件および現像条件を含む複数のパラメータの組合せからなる複数のパラメータセットを記憶している設定記憶部と、前記撮像部による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部と、該設定選択部において前記ユーザにより選択された前記パラメータセットを用いて前記撮像部により取得された前記画像データを現像する現像部とを備える画像取得装置である。【０００７】
本態様によれば、ユーザが撮像部により画像データを取得する際に、撮影条件に関連するいずれかのパラメータを基準パラメータから変更して撮影を行うと、変更取得部によって撮影時に行われたパラメータの変更が取得され、設定選択部において、設定記憶部に記憶されている複数のパラメータセットの中から、変更が取得されたパラメータの変更と同一方向の変更を含むパラメータセットが抽出されてユーザに提示される。提示されたパラメータセットの中からユーザがいずれかのパラメータセットを選択した場合には、選択されたパラメータセットを用いて撮像部により取得された画像データが現像される。【０００８】
すなわち、ユーザに提示するパラメータセットとして、ユーザによって変更されたパラメータの変更方向と同一方向の変更を含むパラメータセットを抽出することで、ユーザにより変更されたパラメータについてはユーザの意図を尊重し、かつ、類似の意図を有するパラメータセットを提示することができる。これにより、ユーザによる変更が厳密なものではない場合に、同一方向の変更を含むパラメータセットを提示して、ユーザによる選択の自由度を広げ、表現の幅を広げることができる。【０００９】
上記態様においては、前記設定選択部が、抽出された前記パラメータセットによって前記画像データを現像して提示してもよい。
このようにすることで、設定選択部により抽出されたパラメータセットにより現像された画像データを選択前に直接確認でき、ユーザによる選択を容易にすることができる。【００１０】
また、上記態様においては、前記現像部が、前記設定選択部において前記ユーザにより選択された前記パラメータセットによって、前記撮像部により取得された前記画像データを現像してもよい。
このようにすることで、設定記憶部に記憶されているユーザと類似の意図を有するパラメータセットにより現像された画像の視覚的効果を確認することができる。【００１１】
また、上記態様においては、前記現像部が、前記設定選択部において前記ユーザにより選択された前記パラメータセットのうち、前記ユーザにより変更された前記パラメータについては、前記ユーザによる変更値を用いて現像してもよい。
このようにすることで、設定記憶部に記憶されているユーザと類似の意図を有するパラメータセットのうち、ユーザにより変更されたパラメータについてはユーザの意図通りの変更値により現像された画像の視覚的効果を確認することができる。【００１２】
また、上記態様においては、前記現像部が、前記設定選択部において前記ユーザにより選択された前記パラメータセットのうち、前記ユーザにより変更された前記パラメータについては、前記パラメータセットに含まれる前記パラメータの値に前記ユーザによる変更値を加算して現像してもよい。
このようにすることで、設定記憶部に記憶されているユーザと類似の意図を有するパラメータセットのうち、ユーザにより変更されたパラメータについてはユーザの意図を強調した値により現像された画像の視覚的効果を確認することができる。【００１３】
また、本発明の他の態様は、撮影条件および現像条件を含む複数のパラメータの組合せからなる複数のパラメータセットを記憶している設定記憶部と、ユーザによるいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部と、該設定選択部において前記ユーザにより選択された前記パラメータセットを用いて画像データを現像する現像部とを備える画像処理装置である。【００１４】
本態様によれば、ユーザにより、いずれかのパラメータについて行われた基準パラメータからの変更が、変更取得部によって取得され、設定選択部において、設定記憶部に記憶されている複数のパラメータセットの中から、変更が取得されたパラメータの変更を含まないパラメータセットのみが抽出されてユーザに提示される。提示されたパラメータセットの中からユーザがいずれかのパラメータセットを選択した場合には、選択されたパラメータセットを用いて画像データが現像される。【００１５】
すなわち、ユーザに提示するパラメータセットとして、ユーザによって変更されたパラメータの変更方向と同一方向の変更を含むパラメータセットを抽出することで、ユーザにより変更されたパラメータについてはユーザの意図を尊重し、かつ、類似の意図を有するパラメータセットを提示することができる。これにより、ユーザによる変更が厳密なものではない場合に、同一方向の変更を含むパラメータセットを提示して、ユーザによる選択の自由度を広げ、表現の幅を広げることができる。【００１６】
また、本発明の他の態様は、ユーザによるいずれかのパラメータの基準パラメータからの変更を取得する変更取得ステップと、該変更取得ステップにより前記パラメータの変更が取得された場合に、記憶されている撮影条件および現像条件を含む複数の前記パラメータの組合せからなる複数のパラメータセットの内、変更された前記パラメータの変更と同一方向の変更を含む前記パラメータセットを抽出して提示するパラメータ提示ステップと、該パラメータ提示ステップにより提示された前記パラメータセットを前記ユーザに選択させる設定選択ステップと、該設定選択ステップにおいて前記ユーザにより選択された前記パラメータセットを用いて画像データを現像する現像ステップとを含む画像処理方法である。【００１７】
また、本発明の他の態様は、ユーザによるいずれかのパラメータの基準パラメータからの変更を取得する変更取得処理と、該変更取得処理により前記パラメータの変更が取得された場合に、記憶されている撮影条件および現像条件を含む複数の前記パラメータの組合せからなる複数のパラメータセットの内、変更された前記パラメータの変更と同一方向の変更を含む前記パラメータセットを抽出して提示するパラメータ提示処理と、該パラメータ提示処理により提示された前記パラメータセットを前記ユーザに選択させる設定選択処理と、該設定選択処理において前記ユーザにより選択された前記パラメータセットを用いて画像データを現像する現像処理とをコンピュータに実行させる画像処理プログラムである。【００１８】
また、本発明の他の態様は、画像データを取得する撮像装置と、該撮像装置と通信可能な画像処理装置とを備え、前記撮像装置が、取得された前記画像データを記憶する画像記憶部と、該画像記憶部に記憶された前記画像データを現像する現像部とを備え、前記画像処理装置が、撮影条件および現像条件を含む複数のパラメータの組合せからなる複数のパラメータセットを記憶している設定記憶部と、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部とを備え、前記現像部が、前記設定選択部において前記ユーザにより選択された前記パラメータセットを用いて前記撮像装置により取得された前記画像データを現像する画像取得システムである。【００１９】
本態様によれば、ユーザが撮像装置により画像データを取得する際に、撮影条件に関連するいずれかのパラメータを基準パラメータから変更して撮影を行うと、撮影情報が通信によって画像処理装置に送られ、画像処理装置の変更取得部によって取得時に行われたパラメータの変更が取得され、設定選択部において、設定記憶部に記憶されている複数のパラメータセットの中から、変更が取得されたパラメータの変更と同一方向の変更を含むパラメータセットが抽出されてユーザに提示される。提示されたパラメータセットの中からユーザがいずれかのパラメータセットを選択した場合には、選択されたパラメータセットを用いて撮像装置により取得された画像データが、撮像装置に備えられた現像部により現像される。【００２０】
すなわち、ユーザに提示するパラメータセットとして、ユーザによって変更されたパラメータの変更方向と同一方向の変更を含むパラメータセットを抽出することで、ユーザにより変更されたパラメータについてはユーザの意図を尊重し、かつ、類似の意図を有するパラメータセットを提示することができる。これにより、ユーザによる変更が厳密なものではない場合に、同一方向の変更を含むパラメータセットを提示して、ユーザによる選択の自由度を広げ、表現の幅を広げることができる。また、撮像装置によって取得された大容量の画像データを通信によって画像処理装置に送信する必要がなく、処理時間の短縮を図ることができる。【００２１】
また、本発明の他の態様は、画像データを取得する撮像装置と、撮影条件および現像条件を含む複数のパラメータの組合せからなる複数のパラメータセットを記憶している設定記憶装置と、前記撮像装置および前記設定記憶装置と通信可能な画像処理装置とを備え、前記撮像装置が、取得された前記画像データを記憶する画像記憶部と、該画像記憶部に記憶された前記画像データを現像する現像部とを備え、前記画像処理装置が、前記撮像装置による前記画像データの取得時におけるユーザによる前記撮影条件に関連するいずれかの前記パラメータの基準パラメータからの変更を取得する変更取得部と、該変更取得部により前記パラメータの変更が取得された場合に、変更された前記パラメータの変更と同一方向の変更を含む前記パラメータセットを抽出して提示し前記ユーザに選択させる設定選択部とを備え、前記現像部が、前記設定選択部において前記ユーザにより選択された前記パラメータセットを用いて前記撮像装置により取得された前記画像データを現像する画像取得システムである。【００２２】
本態様によれば、ユーザが撮像装置により画像データを取得する際に、撮影条件に関連するいずれかのパラメータを基準パラメータから変更して撮影を行うと、撮影情報が通信によって画像処理装置に送られ、画像処理装置の変更取得部によって取得時に行われたパラメータの変更が取得される。また、画像処理装置は、設定記憶装置に記憶されている複数のパラメータセットを通信によって読み出して、変更された前記パラメータの変更と同一方向の変更を含む前記パラメータセットを抽出してユーザに提示する。提示されたパラメータセットの中からユーザがいずれかのパラメータセットを選択した場合には、選択されたパラメータセットを用いて撮像装置により取得された画像データが、撮像装置に備えられた現像部により現像される。
【発明の効果】
【００２３】
本発明によれば、撮影条件を指定したユーザの意図を尊重しつつ、表現の幅が狭められてしまうことを防止することができるという効果を奏する。
【図面の簡単な説明】
【００２４】
【図１】本発明の一実施形態に係る画像取得装置を示す全体構成図である。
【図２】図１の画像取得装置の設定記憶部に記憶されるパラメータセットの例を示す図である。
【図３】図１の画像取得装置において抽出されたパラメータセットの一例を示す図である。
【図４】図３において抽出されたパラメータセットを提示する表示例を示す図である。
【図５】図４の表示例において１つのパラメータセットを選択した表示例を示す図である。
【図６】図１の画像取得装置において抽出されたパラメータセットを提示する他の表示例を示す図である。
【図７】図１の画像取得装置の変形例を示す全体構成図である。
【図８】本発明の一実施形態に係る画像取得システムを示す全体構成図である。
【図９】図８の画像取得システムに備えられる画像処理装置による画像処理方法を説明するフローチャートである。
【図１０】図８の画像取得システムに備えられる画像処理装置の変形例を示す全体構成図である。
【図１１】図８の画像取得システムの変形例を示す全体構成図である。
【発明を実施するための形態】
【００２５】
以下、本発明の一実施形態に係る画像取得装置１について、図面を参照して以下に説明する。
本実施形態に係る画像取得装置１は、図１に示されるように、被写体の画像データを取得する撮像部２と、撮像部２から送られてきた画像データを記憶する画像記憶部３と、撮影条件および現像条件を含む複数のパラメータの組合せからなる複数のパラメータセットを記憶している設定記憶部４と、撮像部２による画像データの取得時におけるユーザによる撮影条件に関連するいずれかのパラメータの基準パラメータからの変更を取得する変更取得部５と、変更取得部５によりパラメータの変更が取得された場合に、変更されたパラメータの変更と同一方向の変更を含むパラメータセットを抽出して提示しユーザに選択させる設定選択部６と、設定選択部６においてユーザにより選択されたパラメータセットにより撮像部２により取得された画像データを現像する現像部７と、画像を表示する表示部８と、これらを制御する制御部９とを備えている。また、画像取得装置１は、撮影に際してユーザが撮影条件を切り替えるための操作を行う切替入力部１０を備えている。
【００２６】
撮像部２は、被写体からの光を集光する撮影レンズ（図示略）と、該撮影レンズによって集光された光を撮影して画像データを取得するＣＣＤ等の撮像素子（図示略）とを備えている。ユーザは撮影に先立って、切替入力部１０を操作することなくオート設定（基準パラメータ）によって撮影を行うこともでき、切替入力部１０を操作していずれかの撮影条件を変更して撮影を行うこともできるようになっている。
【００２７】
変更取得部５は、切替入力部１０の操作によるパラメータの変更を検出してもよいが、ここでは、取得された画像データに対応づけて記憶された変更されたパラメータによって、パラメータの変更を検出するようになっている。
設定選択部６は、オート設定のままで撮影が行われた場合には作動せず、切替入力部１０の操作によって撮影条件に関する何らかのパラメータがユーザによって変更されたことが変更取得部５により検出された場合に作動するようになっている。
【００２８】
例えば、設定記憶部４に、図２に示される複数のパラメータセットが記憶されている場合について説明する。図２に示す例では、最左欄がパラメータセット名であり、撮影条件に関連するパラメータとして、露出およびホワイトバランス（ＷＢ）、現像条件に関連するパラメータとして、トーンカーブ、彩度（Ｓａｔ）、アートフィルタ（ＡＲＴ）、アスペクトおよび配置が含まれている。
また、図２中、トーンカーブにおけるＭは中央部（Ｍｉｄｄｌｅ）、Ｓは暗部（Ｓｈａｄｏｗ）、Ｈは明部（ＨｉｇｈＬｉｇｈｔ）における調整値を示している。
【００２９】
この場合において、ユーザが撮影の際に、例えば、トーンカーブをオート設定の値からＨを１下げて撮影した場合には、変更取得部５により、その変更が検出され、設定選択部６が作動させられるようになっている。
この例では、設定選択部６は、設定記憶部４に記憶されているパラメータセットの中から、図３に示されるように、トーンカーブのＨについて下げる方向に変更しているパラメータセットである、Ｒ−００８，Ｒ−００９を抽出して提示するようになっている。
設定選択部６によって提示するパラメータセットにおけるトーンカーブの値は、パラメータセットに元々含まれていた値そのものである。
【００３０】
設定選択部６は、抽出されたパラメータセットを表示部８に提示して、いずれかのパラメータセットをユーザに選択させるようになっている。例えば、ＧＵＩによって実現されている。
【００３１】
さらに具体的には、ユーザがいずれかの撮影条件を変更して撮影を行った場合には、図４に示されるように、取得された元画像が表示部８に表示されるとともに、設定選択部６により抽出されたパラメータセットＲ−００８およびＲ−００９の現像条件が表示部８に提示されるようになっている。
【００３２】
ユーザは、表示部８上においていずれかのパラメータセットを選択することができ、例えば、図５に示されるように、パラメータセットＲ−００９が選択された場合には、選択されたパラメータセットＲ−００９を用いて現像部７による現像が行われ、元画像に代えて、現像後の画像が表示部８に表示されるようになっている。ここでは、抽出されたパラメータセットから１つのパラメータセットを選択して現像部７による現像を行う例を示したが、複数のパラメータセットを選択して現像を行ってもよい。
【００３３】
また、例えば、ユーザが撮影の際に、彩度をオート設定の値から＋１上げて撮影した場合には、設定選択部６によって、彩度を上げる方向に変更しているパラメータセットＲ−００７が抽出されて提示されるようになっている。
また、例えば、ユーザがホワイトバランスをオート設定の値から３０００Ｋ色温度を下げて撮影した場合には、設定選択部６によって、ホワイトバランスを下げる方向に変更しているパラメータセットＲ−００１，Ｒ−００２が抽出されて提示されるようになっている。
【００３４】
また、例えば、ユーザが撮影の際に、アートフィルタをオート設定からデイドリーム２に設定した場合には、設定選択部６によって、アートフィルタがデイドリームに変更されているパラメータセットＲ−００２，Ｒ−００３が抽出されて提示されるようになっている。
さらに、例えば、ユーザが撮影の際に、アスペクトをオート設定から１６：９に変更して撮影した場合には、設定選択部６によって、アスペクトを広げる方向に偏向しているパラメータセットＲ−００５，Ｒ−００６が抽出されて提示されるようになっている。
【００３５】
このように構成された本実施形態に係る画像取得装置１によれば、ユーザが撮影時に撮影条件を変更した場合には、当該撮影条件を同じ方向に変更するパラメータセットが提示されるので、ユーザにより変更されたパラメータについてはユーザの意図を尊重し、かつ、類似の意図を有するパラメータセットを提示することができる。これにより、ユーザによる変更が厳密なものではない場合に、同一方向の変更を含むパラメータセットを提示して、ユーザによる選択の自由度を広げ、表現の幅を広げることができるという利点がある。
【００３６】
すなわち、従来、ユーザが撮影時に撮影条件を変更した場合には、変更された撮影条件に一致する撮影条件が含まれるパラメータセットのみが提示されるため、図２の例では、例えば、ユーザがトーンカーブのＨを１だけ下げる変更を行った場合には、一致するパラメータセットは存在せず、何も提示されないことになる。
これでは、ユーザが単にトーンカーブの変更の方向性のみを意図し、数値については厳密には意図していない場合にも、トーンカーブの調整に加えて、ホワイトバランス、アートフィルタ、アスペクト比および配置のような他の現像条件を調整した場合の画像における視覚的効果について、ユーザが認識する機会が与えられず、表現の幅を広げることができない。
【００３７】
これとは逆に、本実施形態に係る画像取得装置１によれば、ユーザによる撮影条件の変更の方向性が一致している全てのパラメータセットが提示されるので、他の現像条件を加えた場合に取得される画像の視覚的効果をユーザが確認する機会を与えることができる。
ユーザは選択されたパラメータセットによって現像された、表示部８に表示された画像を採用したい場合には、お気に入りに追加して記憶することにより、以後の撮影時に読み出して撮影を行うことができる。
【００３８】
なお、本実施形態においては、設定選択部６において抽出されたパラメータセットについては、当該パラメータセットに含まれる現像条件そのものを表示部８に表示することとしたが、これに代えて、図６に示されるように、設定選択部６において抽出された各パラメータセットによって元画像を現像した画像を、選択するための画像として表示することにしてもよい。提示された画像を選択させ、選択されたときには拡大して表示することにすればよい。
【００３９】
また、本実施形態においては、ユーザが撮影時に撮影条件を変更した場合、ユーザにより変更されたパラメータについては、パラメータセットに含まれる変更前のパラメータの値に、ユーザが選択したパラメータセットの変更値を加算して現像するようにしてもよい。
【００４０】
また、本実施形態においては、パラメータセットが、被写体またはシーンの種別毎に分類して設定記憶部４に記憶されており、図７に示されるように、撮像部２により取得された画像を処理して被写体およびシーンの種別を認識する種別認識部１１を備え、設定選択部６が、認識された種別に一致する分類に属するパラメータセットのみを抽出してもよい。
【００４１】
このようにすることで、パラメータセットが多数記憶されている場合に、ユーザの要求するパラメータセットに絞り込んで提示することにより、選択を容易にすることができる。
また、本実施形態においては、設定選択部６において抽出された全てのパラメータセットを提示することとしたが、ランダムに間引いて提示することにしてもよい。
【００４２】
また、本実施形態においては、撮影条件および現像条件に関連するパラメータとして、露出、ホワイトバランス、トーンカーブ、彩度、アートフィルタ、アスペクトおよび配置を用いて例示したが、撮影後の画像データに対して行う画像処理で、オート設定の値から方向性のあるパラメータによる処理であればこれに限られるものではない。例えば、エッジ強調（強度）、ノイズ低減（強度）、ダイナミックレンジ（ＥＶ）、クロマサプレス（強度）または解像度（画像サイズ）等を用いてもよい。
【００４３】
次に、本発明の一実施形態に係る画像処理装置３０、画像取得システム１００および画像処理方法について、図面を参照して以下に説明する。
本実施形態の説明において、上述した一実施形態に係る画像取得装置１と構成を共通とする箇所には同一符号を付して説明を省略する。
【００４４】
本実施形態に係る画像取得システム１００は、図８に示されるように、撮像装置２０と画像処理装置３０とを備えている。
撮像装置２０は、図８に示されるように、撮像部２と、撮影条件を設定する切替入力部１０とを備えている。
【００４５】
撮像装置２０により取得された画像データは、切替入力部１０において入力された撮影条件の変更と対応づけられて、通信により、あるいは記憶媒体を経由して画像処理装置３０に入力することができるようになっている。
画像処理装置３０は、画像記憶部３と、設定記憶部４と、変更取得部５と、設定選択部６と、現像部７と、表示部８と、制御部９とを備えている。各部の機能については、上記画像取得装置１と同様である。
【００４６】
このように構成された本実施形態に係る画像処理装置３０を用いた画像処理方法について、以下に説明する。
本実施形態に係る画像処理方法は、図９に示されるように、変更取得ステップＳ１と、パラメータ提示ステップＳ２と、設定選択ステップＳ３と、現像ステップＳ４とを含んでいる。
【００４７】
変更取得ステップＳ１においては、通信によりあるいは記憶媒体を経由して撮影条件の変更が対応づけられた画像データが画像記憶部３に入力されたときに、変更取得部５により、画像データに対応づけられた撮影時の撮影条件の変更が取得される。
パラメータ提示ステップＳ２においては、設定記憶部４に記憶されているパラメータセットの中から、ユーザにより変更されたパラメータの変更と同一方向の変更を含むパラメータセットが抽出されて表示部８に提示される。
【００４８】
そして、設定選択ステップＳ３においては、パラメータ提示ステップＳ２により提示されたパラメータセットがユーザによって選択され、現像ステップＳ４においては、設定選択ステップＳ３においてユーザにより選択されたパラメータセットにより画像データが現像される。
【００４９】
このように、本実施形態に係る画像取得システム１００、画像処理装置３０および画像処理方法によっても、撮影条件を指定したユーザの意図を尊重し、かつ、類似の意図を有するパラメータセットを提示することができる。これにより、表現の幅が狭められてしまうことを防止することができるという利点がある。
【００５０】
なお、本実施形態においては、撮像装置２０による撮影の際にユーザが撮影条件をオート設定から変更した場合に、その変更を検出して提示するパラメータセットを抽出することとしたが、これに代えて、図１０に示されるように、画像処理装置３０に、ホワイトバランス等の撮影条件を変更する切替入力部１０を備え、オート設定で取得された画像データを受け取ってパラメータセットを抽出することとしてもよい。
【００５１】
また、上記実施形態においては、画像処理装置３０に、パラメータセットを記憶する設定記憶部４および現像部７を備えることとしたが、これに代えて、図１１に示されるように、画像処理装置３０には備えられずに、パラメータセットを記憶する設定記憶装置４０が、ネットワーク５０を介して、撮像装置２０および画像処理装置３０と接続され、撮像装置２０に制御部９、画像記憶部３および現像部７が備えられている画像取得システム１００を採用してもよい。
【００５２】
この場合、画像処理装置３０は、例えば、パーソナルコンピュータあるいは携帯端末等である。撮像装置２０および画像処理装置３０における制御部９は、各部の制御およびネットワーク５０を経由した情報の送受信を行うようになっている。
撮像装置２０において、ユーザにより撮影条件が変更されて撮影が行われることにより取得された大容量の画像データは、画像処理装置３０に送られることなく画像記憶部３に記憶され、ユーザにより変更された撮影条件に関する情報のみ、あるいは、当該情報および表示用の縮小された画像データがネットワーク５０を介して画像処理装置３０に送られる。
【００５３】
画像処理装置３０においては、上記のようにして抽出されたパラメータセットが表示部８に提示され、いずれかのパラメータセットがユーザによって選択されると、選択されたパラメータセットがネットワーク５０を介して撮像装置２０に送られ、撮像装置２０に記憶されている画像データが、送られてきたパラメータセットによって現像され、表示用に縮小された画像データが再度、画像処理装置３０に送られて表示部８に表示される。
このようにすることで、撮像装置２０によって取得された大容量の画像データを画像処理装置３０にアップロードすることなく、通信に要する時間を短縮することができる。
【００５４】
また、本実施形態においては、画像処理方法をハードウェアによって実現する構成について説明したが、コンピュータにより実行可能な画像処理プログラムによって実現することとしてもよい。この場合、コンピュータは、ＣＰＵ、ＲＡＭ等の主記憶装置、およびコンピュータ読み取り可能な記録媒体を備え、該記録媒体に上述した処理を実現させるための画像処理プログラムが記録される。そして、ＣＰＵが記録媒体に記録されている画像処理プログラムを読み出して、画像処理装置３０と同様の処理を実現することができる。
【符号の説明】
【００５５】
１  画像取得装置
２  撮像部
３  画像記憶部
４  設定記憶部
５  変更取得部
６  設定選択部
７  現像部
２０  撮像装置
３０  画像処理装置
４０  設定記憶装置
Ｓ１  変更取得ステップ
Ｓ２  パラメータ提示ステップ
Ｓ３  設定選択ステップ
Ｓ４  現像ステップ
【図１】
2018003070.tif 000003
【図２】
2018003070.tif 000004
【図３】
2018003070.tif 000005
【図４】
2018003070.tif 000006
【図５】
2018003070.tif 000007
【図６】
2018003070.tif 000008
【図７】
2018003070.tif 000009
【図８】
2018003070.tif 000010
【図９】
2018003070.tif 000011
【図１０】
2018003070.tif 000012
【図１１】
2018003070.tif 000013
【国際調査報告】
2018003070.tif 000014
2018003070.tif 000015